(57)【特許請求の範囲】
【請求項１】
ＰＣ橋における橋梁上部工の張出架設にあたり、該張出架設の作業と、立設姿勢調整可能な取付部を備えた壁高欄外面プレキャストコンクリートパネルを前記橋梁上部工の壁高欄位置に仮固定する作業とを同時に並行して進め、前記張出架設の作業終了後、前記壁高欄外面プレキャストコンクリートパネルの立設姿勢を調整して精度の高い高欄配列をなし、該壁高欄外面プレキャストコンクリートパネルを前記壁高欄位置に固定し、次いで壁高欄の鉄筋を配筋した後、壁高欄内面形成用型枠を立設し、前記壁高欄外面プレキャストコンクリートパネルと前記壁高欄内面形成用型枠との間の空間にコンクリートを打設することを特徴とする張出架設ＰＣ橋の壁高欄の施工方法。
【請求項２】
前記橋梁上部工が、前記壁高欄外面プレキャストコンクリートパネルの下端が嵌合する凹部を前記壁高欄位置に有するものであることを特徴とする請求項１記載の張出架設ＰＣ橋の壁高欄の施工方法。
【請求項３】
前記立設姿勢の調整が、前記壁高欄外面プレキャストコンクリートパネルの前記空間側の側面に固定された、第１の長孔を有するパネル側固定金具と、前記壁高欄位置の前記空間側における該壁高欄位置に隣接する前記橋梁上部工に固定された、前記第１の長孔と交わる方向に延びた第２の長孔を有する橋梁上部工側金具と、前記第１の長孔および前記第２の長孔を貫通して、前記パネル側固定金具と前記橋梁上部工側金具とを連結する連結金具とからなる立設姿勢調整手段を用いて、前記連結金具による前記パネル側固定金具と前記橋梁上部工側金具との連結の位置を、前記第１の長孔および前記第２の長孔それぞれの孔内で選択することにより、前記橋梁上部工に対する前記壁高欄外面プレキャストコンクリートパネルの上下方向高さ位置および傾きを調整するものであることを特徴とする請求項１または２記載の張出架設ＰＣ橋の壁高欄の施工方法。
【発明の詳細な説明】
【技術分野】
【０００１】
本発明は、張出架設工法で施工されるプレストレストコンクリート橋（ＰＣ橋）の壁高欄の施工方法に関する。
【背景技術】
【０００２】
従来より、橋梁上部工の走行路両側端部には、例えば車両転落防止等のためのコンクリート壁高欄が設けられる。張出架設工法による橋梁上部工にコンクリート壁高欄を設けるコンクリート壁高欄の施工方法として、地盤から張出床版までの高さが低く、また張出床版の下方に河川や道路などがなく、地盤から支保工を組み上げられるような施工条件では、橋梁上部工の張出床版を含む主桁が完成した後、地盤から張出床版まで支保工を組み上げ、地盤から組み上げられた支保工上で型枠および鉄筋を組み立てて壁高欄のコンクリートを打設する方法が知られている。
【０００３】
しかし、張出架設工法による橋梁上部工では、地盤から張出床版までの高さが高い場合が多く、また張出床版の下方に河川や道路などがあり、地盤から支保工を組み上げられない場合が多い。このような施工条件におけるコンクリート壁高欄の施工方法として、橋梁上部工の張出床版を含む主桁が完成した後、張出床版に支保工を取り付け、張出床版に取り付けられた支保工上で型枠および鉄筋を組み立てて壁高欄のコンクリートを打設する方法が知られている。
【０００４】
また、コンクリート壁高欄の施工方法としては、上述したような場所打ちコンクリートによる方法の他に、プレキャストコンクリート壁高欄を据え付ける方法（例えば、特許文献１参照。）や、壁高欄外面となるハーフプレキャスト壁部材を用いる方法（例えば、特許文献２参照。）などが知られている。
【０００５】
ここで、橋梁上部工を張出架設工法により施工する場合、張出床版上面の高さが施工段階で変化することが知られている。具体的には、例えばプレストレストコンクリート橋では、橋梁上部工を張り出す毎に、張り出した橋梁上部工の先端部を最大、張出基部の橋脚位置を最小として下向きに変位し、その橋梁上部工に橋軸方向のプレストレスを導入するとその張り出したときの変位とは逆向きに変位する。また、橋梁上部工の張出施工完成後に連続ケーブルを緊張して橋梁上部工に橋軸方向のプレストレスを導入すると、支間部を最大として上向きに変位する。このような施工段階における張出床版上面の高さ変化に加え、クリープなどに伴う長期的・経時的なコンクリート自体の変位や温度変化に伴うコンクリート自体の変位などによって、張出床版上面の高さが変化することも知られている。
【０００６】
張出架設工法による橋梁上部工へのコンクリート壁高欄の施工にあたっては、上述したような張出床版上面の高さ変化を予想して主桁や床版コンクリートの打設高さを決定するものの、張出床版上面の高さ変化を正確に予想することは困難であり、多少の誤差は避けられない。ところが壁高欄の高さや平面線形の仕上がりは、道路走行時に車両乗員の視線高さに近い高さであるため、僅かな誤差であっても明瞭に視認できる。そのため、壁高欄の高さや平面線形の仕上がりには高い精度が要求されている。
【０００７】
上述した張出床版上面の高さ変化や壁高欄に要求される精度に鑑み、張出架設工法による橋梁上部工にコンクリート壁高欄を設ける場合には、橋梁上部工の張出床版を含む主桁が全て完成し、連続ケーブルを緊張して橋梁上部工に橋軸方向のプレストレスを導入した後、すなわち張出床版上面の高さ変化が少なくなった段階で、橋梁全体に亘るコンクリート壁高欄をまとめて施工するのが普通であった。
【先行技術文献】
【特許文献】
【０００８】
【特許文献１】特開２００１−１９３０１５号公報
【特許文献２】特開２００１−２７９８５２号公報
【発明の概要】
【発明が解決しようとする課題】
【０００９】
張出架設工法による橋梁上部工へのコンクリート壁高欄の施工では、上述したように、橋梁上部工の張出床版を含む主桁が全て完成した後に、橋梁全体に亘るコンクリート壁高欄の施工を行うため、橋梁上部工の張出床版両側端部よりも外側に改めて足場を設けたり、場合によっては地盤から支保工を組み上げたり、作業台車を別途設置したりすることとなる。そのため、工期が長くかかり、施工に大きな手間やコストがかかる。
【００１０】
例えば、張出架設工法による橋梁上部工に、場所打ちコンクリートによりコンクリート壁高欄を施工する場合には、張出床版の両側端部で支保工や型枠の組払しが必要であるため、高所作業となり危険な作業が避けられない。
【００１１】
また、張出架設工法による橋梁上部工に、プレキャストコンクリート壁高欄の据え付けによりコンクリート壁高欄を施工する場合には、据え付けの方向、高さ、傾きの調整しろが少ないため、据付位置の高さ変化が大きい場合には据付位置の調整が困難である。また、橋梁上部工の張出床版両側端部よりも外側からの作業、作業足場の組払しが必要であるため、高所作業となり危険な作業が避けられない。
【００１２】
また、張出架設工法による橋梁上部工に、壁高欄外面となるハーフプレキャストを用いてコンクリート壁高欄を施工する場合には、ハーフプレキャストの方向、高さ、傾きの調整しろが少ないため、コンクリート壁高欄の仕上がり精度が低くなるおそれがある。また、橋梁上部工の張出床版両側端部よりも外側からの作業、作業足場の組払しが必要であるため、高所作業となり危険な作業が避けられない。
【００１３】
本発明は、上記事情に鑑み、短工期かつ低コストで施工でき、仕上がり精度の高い張出架設ＰＣ橋の壁高欄の施工方法を提供することを目的とするものである。
【課題を解決するための手段】
【００１４】
上記目的を達成する本発明の張出架設ＰＣ橋の壁高欄の施工方法は、ＰＣ橋における橋梁上部工の張出架設にあたり、この張出架設の作業と、立設姿勢調整可能な取付部を備えた壁高欄外面プレキャストコンクリートパネルを上記橋梁上部工の壁高欄位置に仮固定する作業とを同時に並行して進め、上記張出架設の作業終了後、上記壁高欄外面プレキャストコンクリートパネルの立設姿勢を調整して精度の高い高欄配列をなし、この壁高欄外面プレキャストコンクリートパネルを上記壁高欄位置に固定し、次いで壁高欄の鉄筋を配筋した後、壁高欄内面形成用型枠を立設し、上記壁高欄外面プレキャストコンクリートパネルと上記壁高欄内面形成用型枠との間の空間にコンクリートを打設することを特徴とする。
【００１５】
本発明の張出架設ＰＣ橋の壁高欄の施工方法によれば、張出架設の作業と、壁高欄外面プレキャストコンクリートパネルを仮固定するた作業とを同時に並行して進めるため、この仮固定の作業には、張出架設の作業に用いる作業足場を利用することができる。また、本発明の張出架設ＰＣ橋の壁高欄の施工方法によれば、張出架設の作業終了後、壁高欄外面プレキャストコンクリートパネルの立設姿勢を調整した後に固定するため、張出架設の施工段階において張出床版上面の高さが変化したとしても、その調整によって、壁高欄の高さや平面線形の仕上がりが高い精度で整えられる。また、本発明の張出架設ＰＣ橋の壁高欄の施工方法によれば、張出架設の作業終了後、橋梁上部工における壁高欄位置よりも外側に改めて足場を設けたり、地盤から支保工を組み上げたり、作業台車を別途設置したりすることが不要であるため、従来よりも工期を短縮することができ、コストが削減される。
【００１６】
ここで、本発明の張出架設ＰＣ橋の壁高欄の施工方法は、上記橋梁上部工が、上記壁高欄外面プレキャストコンクリートパネルの下端が嵌合する凹部を上記壁高欄位置に有するものであることが好ましい。
【００１７】
このような好ましい形態によれば、橋梁上部工に対する壁高欄外面プレキャストコンクリートパネルの上下方向高さ位置の調整範囲を広く確保することができる。
【００１８】
また、本発明の張出架設ＰＣ橋の壁高欄の施工方法は、上記立設姿勢の調整が、上記壁高欄外面プレキャストコンクリートパネルの上記空間側の側面に固定された、第１の長孔を有するパネル側固定金具と、上記壁高欄位置の上記空間側におけるこの壁高欄位置に隣接する上記橋梁上部工に固定された、上記第１の長孔と交わる方向に延びた第２の長孔を有する橋梁上部工側金具と、上記第１の長孔および上記第２の長孔を貫通して、上記パネル側固定金具と上記橋梁上部工側金具とを連結する連結金具とからなる立設姿勢調整手段を用いて、上記連結金具による上記パネル側固定金具と上記橋梁上部工側金具との連結の位置を、上記第１の長孔および上記第２の長孔それぞれの孔内で選択することにより、上記橋梁上部工に対する上記壁高欄外面プレキャストコンクリートパネルの上下方向高さ位置および傾きを調整するものであることも好ましい形態である。
【００１９】
このような好ましい形態によれば、橋梁上部工に対する壁高欄外面プレキャストコンクリートパネルの上下方向高さ位置および傾きを、簡易な機構で容易に調整することが実現される。
【発明の効果】
【００２０】
本発明によれば、短工期かつ低コストで施工でき、また、仕上がり精度の高い張出架設ＰＣ橋の壁高欄の施工方法が提供される。
【図面の簡単な説明】
【００２１】
【図１】本発明の一実施形態が適用された、張出架設工法によるプレストレストコンクリート箱桁橋（ＰＣ箱桁橋）の施工を示す側面図である。
【図２】図１に示すＡ部の拡大図である。
【図３】既設橋体ブロックの側端部分の、橋軸に直角な断面図である。
【図４】既設橋体ブロックの側端部分の、橋軸に直角な断面図である。
【図５】既設橋体ブロックの側端部分の、橋軸に直角な断面図である。
【図６】図５に示すプレキャストコンクリートパネルの側面図である。
【図７】図５に示すＢ部の拡大図である。
【図８】既設橋体ブロック側金具の別の形態を示す図である。
【図９】既設橋体ブロックの側端部分の、橋軸に直角な断面図である。
【図１０】コンクリート壁高欄の施工を説明する、橋軸に直角な断面図である。
【図１１】施工されたコンクリート壁高欄の、橋軸に直角な断面図である。
【発明を実施するための形態】
【００２２】
以下、図面を参照して本発明の実施の形態を説明する。
【００２３】
図１は、本発明の一実施形態が適用された、張出架設工法によるプレストレストコンクリート箱桁橋（ＰＣ箱桁橋）の施工を示す側面図である。
【００２４】
張出架設工法は、橋体を橋軸方向に３〜５ｍごとに分割した橋体ブロックを、張出架設用移動作業車を使用して、橋脚上から左右にバランスさせながら橋軸方向に張出し、継ぎ足して施工することで橋梁上部工を構築する工法である。
【００２５】
図１には、橋脚Ｐ１，Ｐ４についてはすでに張出床版の架設が終了し、橋脚Ｐ２，Ｐ３では張出架設用移動作業車１１０を用いて橋軸方向左右にバランスさせながら橋体ブロック１０２，１０３を一ブロックづつ張出している様子が示されている。橋脚Ｐ１，Ｐ４の橋体ブロック１０１，１０４について、それぞれの橋台１０５との間は支保工を用いた場所打ちコンクリートで結合し、橋脚Ｐ２，Ｐ３から伸びて来る橋体を待ち、閉合部で連結し一連の橋体を完成する。
【００２６】
以下、図２を参照して、張出架設工法によるＰＣ箱桁橋の施工について詳細に説明する。
【００２７】
図２は、図１に示すＡ部の拡大図である。図２には、橋脚Ｐ２の上端に橋脚頭部および柱頭部が構築され、この柱頭部から橋体ブロック１０２を、１０２ａ，１０２ｂ，…のように一ブロックづつ張出している途中の状態が示されている。より詳細には、図２は、橋体ブロック１０２ｅまで完成し、次の新設橋体ブロック１０２ｆを施工している段階を示している。また、この段階で、同時並行的に、既設橋体ブロック１０２ｅに壁高欄を施工する。
【００２８】
図２に示す張出架設用移動作業車１１０は、四辺形状のメインフレーム１１１上に横梁１１２が掛け渡され、この横梁１１２から鋼棒１１３が吊下され、この鋼棒１１３には新設橋体ブロックの型枠支持材１１４および作業用吊り足場１１５，１１６が取り付けられている。作業用吊り足場１１５，１１６は既設橋体ブロック１０２ｅと新設橋体ブロック１０２ｆとに跨っている。また、メインフレーム１１１は、レール１２０上に前後進可能に載置されており、メインフレーム１１１の尾端に反力支持装置１１７が備えられている。
【００２９】
まず、橋軸方向に移設可能なレール１２０を既設橋体ブロック１０２ｃ，１０２ｄ，１０２ｅ上に順次仮固定し、そのレール１２０上に載置された張出架設用移動作業車１１０を既設橋体ブロック１０２ｄ，１０２ｅ上まで前進させる。また、反力支持装置１１７をレール１２０に係止させることで、張出架設用移動作業車１１０をレール１２０上に固定する。
【００３０】
次に、張出架設用移動作業車１１０のメインフレーム１１１上の横梁１１２から吊下された鋼棒１１３に取り付けられた型枠支持材１１４上に、次の新設橋体ブロック１０２ｆの型枠および鉄筋を組み立て、その型枠内にコンクリートを打設する。打設されるコンクリートの反力は、反力支持装置１１７によって支持される。また、このコンクリート打設時には、後述する既設橋体ブロック側金具１４４（図５参照）を固定するためのアンカ１０（図３参照）を、新設橋体ブロック１０２ｆの上面両側端部分に先端を突出させた状態で埋め込んでおく。その後、コンクリートを養生し、養生されたコンクリートに橋軸方向のプレストレスを導入する。これにより、新設橋体ブロック１０２ｆの上面両側端部分にアンカ１０を有する新設橋体ブロック１０２ｆが構築される。
【００３１】
また、図２を参照して説明した新設橋体ブロック１０２ｆの構築と同時並行的に、壁高欄外面となるプレキャストコンクリートパネル１４０（図５参照）を既設橋体ブロック１０２ｅの壁高欄位置に仮固定する。このプレキャストコンクリートパネル１４０が、本発明にいう壁高欄外面プレキャストコンクリートパネルの実施例である。以下、図３〜図８を参照してプレキャストコンクリートパネル１４０の仮固定について説明する。
【００３２】
図３は、既設橋体ブロック１０２ｅの側端部分の、橋軸に直角な断面図である。
【００３３】
新設橋体ブロック１０２ｆのコンクリート強度が所定の強度に達した後、図３に示すように、既設橋体ブロック１０２ｅに、ジャッキ２０を用いて、橋軸方向と直交する方向のプレストレスを導入し、横締め緊張する。
【００３４】
尚、既設橋体ブロック１０２ｅの側端部分には、図３に示すように、この既設橋体ブロック１０２ｅのコンクリート打設時に埋め込まれた、後述する既設橋体ブロック側金具１４４（図５参照）を固定するためのアンカ１０が、先端を突出させた状態で設けられている。
【００３５】
図４は、既設橋体ブロック１０２ｅの側端部分の、橋軸に直角な断面図である。
【００３６】
張出架設用移動作業車１１０（図１参照）のメインフレーム１１１上の横梁１１２から吊下された鋼棒１１３に取り付けられた型枠支持材１１４上に、既設橋体ブロック１０２ｅの側端部分に施工する水切り１３０の型枠３０および鉄筋を組み立て、その型枠３０内にコンクリートを打設する。また、このコンクリート打設時には、プレキャストコンクリートパネル１４０（図５参照）を位置決めするための位置決めボルト１１を、先端を突出させた状態で埋め込んでおく。また、ここで用いる型枠３０には、プレキャストコンクリートパネル１４０の下端が嵌合する凹部１３１（図７参照）が水切り１３０の側端部分に形成されるように、凸部３１が形成されている。その後、コンクリートを養生する。これにより、既設橋体ブロック１０２ｅの側端部分に、プレキャストコンクリートパネル１４０の下端が嵌合する凹部１３１を側端部分に有する水切り１３０が構築される。この水切り１３０の凹部１３１の形成された部分が、プレキャストコンクリートパネル１４０が設置される壁高欄位置である。このような凹部１３１が形成された部分が壁高欄位置であるため、橋梁上部工に対するプレキャストコンクリートパネル１４０の上下方向高さ位置の調整範囲が広く確保される。
【００３７】
図５は、既設橋体ブロック１０２ｅの側端部分の、橋軸に直角な断面図である。また、図６は、図５に示すプレキャストコンクリートパネル１４０の側面図である。また、図７は、図５に示すＢ部の拡大図である。
【００３８】
上述したように、既設橋体ブロック１０２ｅの側端部分には、この既設橋体ブロック１０２ｅのコンクリート打設時に埋め込まれたアンカ１０が、先端を突出させた状態で設けられている。このアンカ１０を用いて、既設橋体ブロック側金具１４４を、既設橋体ブロック１０２ｅの側端部分に固定する。詳細な説明は後述するが、この既設橋体ブロック側金具１４４が、本発明にいう橋梁上部工側金具の実施例である。
【００３９】
プレキャストコンクリートパネル１４０は、立設姿勢調整可能な取付部を備えた壁高欄外面をなすパネルである。より詳細には、プレキャストコンクリートパネル１４０の側面には、位置決めボルトに係止される位置決め金具１４１と、連結金具１４３を介して既設橋体ブロック側金具１４４に係止される、鉛直方向に延びた第１の長孔１４２ａを有するパネル側固定金具１４２とが設けられている。この連結金具１４３が、本発明にいう連結金具の実施例であり、パネル側固定金具１４２が、本発明にいうパネル側固定金具の実施例である。
【００４０】
図７に示すように、既設橋体ブロック側金具１４４は、鉛直材１４４１と、既設橋体ブロック１０２ｅおよび水切り１３０の上面に接するとともに鉛直材１４４１の下端で連結されて鉛直材１４４１を支持する支持材１４４２との組み合わせとからなるものである。また、既設橋体ブロック側金具１４４の鉛直材１４４１には、パネル側固定金具１４２の第１の長孔１４２ａと直交する方向に延びた第２の長孔１４４ａが形成されている。そして、連結金具１４３は、第１の長孔１４２ａおよび第２の長孔１４４ａを貫通して、パネル側固定金具１４２と既設橋体ブロック側金具１４４とを連結する金具である。パネル側固定金具１４２と既設橋体ブロック側金具１４４と連結金具１４３との組み合わせが、本発明にいう立設姿勢調整手段の実施例である。
【００４１】
図８は、既設橋体ブロック側金具１４４の別の形態を示す図である。
【００４２】
図８に示すように、既設橋体ブロック側金具１４４は、斜材１４４３と、既設橋体ブロック１０２ｅの上面に略平行な平行材１４４４と、アンカ１０に固定されるとともに斜材１４４１および平行材１４４２に連結された固定材１４４３との組み合わせとからなるものであってもよい。
【００４３】
図５〜図７に戻って、プレキャストコンクリートパネル１４０の仮固定について説明を続ける。
【００４４】
張出架設用移動作業車１１０（図２参照）を用いてプレキャストコンクリートパネル１４０を既設橋体ブロック１０２ｅの側端部分に移動させ、プレキャストコンクリートパネル１４０の位置決め金具１４１を、既設橋体ブロック１０２ｅの水切り１３０に設けられた位置決めボルト１１に係止させることで、プレキャストコンクリートパネル１４０を壁高欄位置に設置する。また、プレキャストコンクリートパネル１４０が位置決めされた後、プレキャストコンクリートパネル１４０のパネル側固定金具１４２と、既設橋体ブロック１０２ｅの側端部分に固定された既設橋体ブロック側金具１４４とを、連結金具１４３を用いて連結する。これにより、プレキャストコンクリートパネル１４０が壁高欄位置に仮固定される。
【００４５】
図９は、既設橋体ブロック１０２ｅの側端部分の、橋軸に直角な断面図である。
【００４６】
本実施形態の張出架設工法では、張出架設の作業が終了するまでの間、壁高欄位置に仮固定されたプレキャストコンクリートパネル１４０を、工事用防護柵２００の背面を支持するための支持材として利用する。
【００４７】
図２に戻って、新設橋体ブロック１０２ｆが構築された後の張出架設作業について説明する。
【００４８】
新設橋体ブロック１０２ｆが構築され、また、プレキャストコンクリートパネル１４０が壁高欄位置に仮固定された後、次の新設橋体ブロックの構築に備え、レール１２０の仮固定を解除し、構築した橋体ブロック１０２ｆ上にレール１２０を前進させ再度仮固定して、張出架設用移動作業車１１０を、構築した橋体ブロック１０２ｆ上まで前進させる。
【００４９】
以下、図２〜図９を参照して説明した作業を繰り返し、プレキャストコンクリートパネル１４０を仮固定しながら、次々と橋体ブロックを継ぎ足す。そして、橋脚の中間で橋体を連結し、連続ケーブル（図示省略）を緊張して橋梁上部工に橋軸方向のプレストレスを導入して、張出架設作業、およびプレキャストコンクリートパネル１４０の仮固定作業を終了する。
【００５０】
図５〜図７を参照して、プレキャストコンクリートパネル１４０の立設姿勢調整および固定について説明する。
【００５１】
連続ケーブル（図示省略）を緊張して橋梁上部工に橋軸方向のプレストレスを導入した後、仮固定されたプレキャストコンクリートパネル１４０の位置および高さを測量し、所定の管理範囲内となるようにプレキャストコンクリートパネル１４０の立設姿勢を調整し、プレキャストコンクリートパネル１４０を壁高欄位置に固定する。より詳細には、仮固定されたプレキャストコンクリートパネル１４０の固定を一旦緩め、連結金具１４３によるパネル側固定金具１４２と既設橋体ブロック側金具１４４との連結の位置を、第１の長孔１４２ａおよび第２の長孔１４４ａそれぞれの孔内で選択することにより、橋梁上部工に対するプレキャストコンクリートパネル１４０の上下方向高さ位置および傾きを調整する。その後、パネル側固定金具１４２と既設橋体ブロック側金具１４４とを、連結金具１４３を用いて再度固定する。
【００５２】
図１０は、コンクリート壁高欄の施工を説明する、橋軸に直角な断面図である。また、図１１は、施工されたコンクリート壁高欄の、橋軸に直角な断面図である。
【００５３】
プレキャストコンクリートパネル１４０の立設姿勢が調整され固定された後、壁高欄の鉄筋を配筋し、壁高欄内面形成用型枠１５０を立設し、プレキャストコンクリートパネル１４０と壁高欄内面形成用型枠１５０との間の空間に壁高欄のコンクリートを打設する。これによりコンクリート壁高欄１６０が施工される。
【００５４】
以上説明した本実施形態によれば、張出架設の作業と同時並行的に、壁高欄外面となるプレキャストコンクリートパネ１４０ルを仮固定するため、この仮固定の作業には、張出架設の作業に用いる作業用吊り足場１１５，１１６を利用することができる。また、本実施形態によれば、張出架設の作業終了後、プレキャストコンクリートパネル１４０の立設姿勢を調整した後に固定するため、張出架設の施工段階において張出床版上面の高さが変化したとしても、その調整によって、壁高欄の高さや平面線形の仕上がりが高い精度で整えられる。また、本実施形態によれば、張出架設の作業終了後、橋梁上部工における壁高欄位置よりも外側に改めて足場を設けたり、地盤から支保工を組み上げたり、作業台車を別途設置したりすることが不要であるため、従来よりも工期を短縮することができ、コストが削減される。
【００５５】
尚、本実施形態では、ＰＣ橋の橋梁上部工を場所打ちコンクリートにより張出架設する例を挙げたが、ＰＣ橋の橋梁上部工をプレキャスト部材を用いて張出架設してもよい。
【符号の説明】
【００５６】
Ｐ１，Ｐ２，Ｐ３，Ｐ４    橋脚
１０１，１０２，１０３，１０４    橋体ブロック
１０５    橋台
１１０    張出架設用移動作業車
１１１    メインフレーム
１１２    横梁
１１３    鋼棒
１１４    型枠支持材
１１５，１１６    作業用吊り足場
１１７    反力支持装置
１２０    レール
１３０    水切り
１３１    凹部
１４０    プレキャストコンクリートパネル
１４１    位置決め金具
１４２    パネル側固定金具
１４２ａ    第１の長孔
１４３    連結金具
１４４    既設橋体ブロック側金具
１４４ａ    第２の長孔
１４４１    斜材
１４４２    平行材
１４４３    固定材
１５０    壁高欄内面形成用型枠
１６０    コンクリート壁高欄
１０    アンカ
１１    位置決めボルト
２０    ジャッキ
３０    型枠
３１    凸部
２００    工事用防護柵
【図１】
0005773814.tif 000002
【図２】
0005773814.tif 000003
【図３】
0005773814.tif 000004
【図４】
0005773814.tif 000005
【図５】
0005773814.tif 000006
【図６】
0005773814.tif 000007
【図７】
0005773814.tif 000008
【図８】
0005773814.tif 000009
【図９】
0005773814.tif 000010
【図１０】
0005773814.tif 000011
【図１１】
0005773814.tif 000012